(57)【要約】【課題】  テレビ放送された映像と音声を小容量の記憶装置に記憶しつつその音声のみを発生させ、所定の場合に記憶された映像を表示し、かつ、音声を発生させるテレビ放送受信装置を提供する。【解決手段】  開閉自在の折り畳み型で、上筐体の内側に表示部が設置されたテレビ放送受信装置で、上下筐体が閉状態である場合（ステップＳ２２ｃの「閉」）、テレビ放送された音声のみを発生させつつ、テレビ放送された映像と音声を小容量の記憶装置にサイクリックに記憶し（ステップＳ２２ｄ）、上下筐体が開状態になった場合（ステップＳ２２ｅの「開」）、上記記憶装置に記憶された映像を上記表示部に表示し、記憶された音声を発生させる（ステップＳ２２ｆ）。【選択図】  図４
2007028464.tif 000002
【特許請求の範囲】
【請求項１】
テレビ放送信号を受信して、その受信されたテレビ放送信号から映像信号及び音声信号を生成するテレビ受信手段と、
前記テレビ受信手段によって生成された映像信号を表示する表示手段と、
前記テレビ受信手段によって生成された音声信号による音声を発生するスピーカと、
前記映像信号及び音声信号をサイクリックに記憶する映像音声信号記憶手段と、
前記テレビ受信手段によって生成された映像信号及び音声信号を前記映像音声信号記憶手段に書き込む映像音声信号書き込み手段と、
前記映像音声信号記憶手段に記憶された映像信号及び音声信号を読み出す映像音声信号読み出し手段と、
装置の状態遷移の指示を入力する入力手段と、
前記テレビ受信手段によって生成された音声信号による音声を前記スピーカから発生させ、前記テレビ受信手段によって生成された映像信号を前記表示手段に表示させず、かつ、前記映像音声信号書き込み手段を制御して前記テレビ受信手段によって生成された映像信号及び音声信号を前記映像音声信号記憶手段に書き込ませる第１の状態にある際に前記入力手段によって第１の指示が入力された場合、前記映像音声信号読み出し手段を制御して前記映像音声信号記憶手段に記憶された映像信号及び音声信号を読み出させ、前記映像音声信号読み出し手段によって読み出された映像信号を前記表示手段に表示させ、かつ、前記映像音声信号読み出し手段によって読み出された音声信号を前記スピーカから発生させる第２の状態に遷移する制御を行うテレビ処理制御手段と
を有することを特徴とするテレビ放送受信装置。
【請求項２】
前記テレビ処理制御手段は、前記第２の状態にある際に前記映像音声信号書き込み手段を制御して前記テレビ受信手段によって生成された映像信号及び音声信号を前記映像音声信号記憶手段に記憶させず、前記第２の状態にある際に前記映像音声信号読み出し手段が前記映像音声信号記憶手段に記憶された全ての映像信号及び音声信号を読み出した場合、前記テレビ受信手段によって生成された映像信号を前記表示手段に表示させ、かつ、前記テレビ受信手段によって生成された音声信号を前記スピーカから発生させる第３の状態に遷移する制御を行う
ことを特徴とする請求項１に記載のテレビ放送受信装置。
【請求項３】
前記テレビ処理制御手段は、前記第２の状態または前記第３の状態にある際に前記入力手段によって第２の指示が入力された場合、前記映像音声信号記憶手段に記憶された映像信号及び音声信号を消去して、前記第１の状態に遷移する制御を行う
ことを特徴とする請求項１または請求項２に記載のテレビ放送受信装置。
【請求項４】
第１筐体と第２筐体とが開閉自在の形状であって、
前記第１筐体と第２筐体とが開状態にあるか閉状態にあるかを検出する開閉検出手段と、
テレビ放送信号を受信して、その受信されたテレビ放送信号から映像信号及び音声信号を生成するテレビ受信手段と、
前記第１筐体と第２筐体とが閉状態にある際に前記第１筐体または第２筐体の内側に配置され、前記テレビ受信手段によって生成された映像信号を表示する表示手段と、
前記テレビ受信手段によって生成された音声信号による音声を発生するスピーカと、
前記映像信号及び音声信号をサイクリックに記憶する映像音声信号記憶手段と、
前記テレビ受信手段によって生成された映像信号及び音声信号を前記映像音声信号記憶手段に書き込む映像音声信号書き込み手段と、
前記映像音声信号記憶手段に記憶された映像信号及び音声信号を読み出す映像音声信号読み出し手段と、
前記開閉検出手段によって第１筐体と第２筐体とが閉状態にあることが検出されており、前記テレビ受信手段によって生成された音声信号による音声を前記スピーカから発生させ、前記テレビ受信手段によって生成された映像信号を前記表示手段に表示させず、かつ、前記映像音声信号書き込み手段を制御して前記テレビ受信手段によって生成された映像信号及び音声信号を前記映像音声信号記憶手段に書き込ませる第１の状態にある際に前記開閉検出手段によって第１筐体と第２筐体とが開状態になったことが検出された場合、前記映像音声信号読み出し手段を制御して前記映像音声信号記憶手段に記憶された映像信号及び音声信号を読み出させ、前記映像音声信号読み出し手段によって読み出された映像信号を前記表示手段に表示させ、かつ、前記映像音声信号読み出し手段によって読み出された音声信号を前記スピーカから発生させる第２の状態に遷移する制御を行うテレビ処理制御手段と
を有することを特徴とするテレビ放送受信装置。
【請求項５】
前記テレビ処理制御手段は、前記第２の状態にある際に前記映像音声信号書き込み手段を制御して前記テレビ受信手段によって生成された映像信号及び音声信号を前記映像音声信号記憶手段に記憶させず、前記第２の状態にある際に前記映像音声信号読み出し手段が前記映像音声信号記憶手段に記憶された全ての映像信号及び音声信号を読み出した場合、前記テレビ受信手段によって生成された映像信号を前記表示手段に表示させ、かつ、前記テレビ受信手段によって生成された音声信号を前記スピーカから発生させる第３の状態に遷移する制御を行う
ことを特徴とする請求項４に記載のテレビ放送受信装置。
【請求項６】
前記テレビ処理制御手段は、前記第２の状態または前記第３の状態にある際に前記開閉検出手段によって第１筐体と第２筐体とが閉状態になったことが検出された場合、前記映像音声信号記憶手段に記憶された映像信号及び音声信号を消去して、前記第１の状態に遷移する制御を行う
ことを特徴とする請求項４または請求項５に記載のテレビ放送受信装置。
【発明の詳細な説明】
【技術分野】
【０００１】
本発明は、テレビ放送受信装置に係り、特に、テレビ放送された映像を表示せず、テレビ放送された音声を発生させる処理に関する。
【背景技術】
【０００２】
テレビの視聴者が自動車を運転中にテレビ映像を見ることは、交通安全の観点から好ましくない。そのため、自動車に搭載されたテレビ放送受信装置は、その自動車が走行中に受信されたテレビ放送の映像を表示せず、テレビ放送の音声を発生させる処理が知られている。この処理を行う場合、音声を発生させる処理を行うことに併せて、受信されたテレビ放送の映像と音声とを含む信号を記憶し、後に、例えば、上記自動車が停車中に、記憶されたテレビ信号を再生することが知られている（例えば、特許文献１参照。）。
【特許文献１】特開２００３−２４４５９１号公報（第２頁、図２）
【発明の開示】
【発明が解決しようとする課題】
【０００３】
しかしながら、上述した特許文献１に開示されている手法では、テレビ放送の映像と音声を含む信号を記憶するために有するべき記憶装置の記憶容量が膨大になり、装置の大型化につながる、また、記憶されたテレビ信号を後に再生するために長時間を要するなどの問題点があった。
【０００４】
更には、受信されたテレビ放送の映像を表示するか、録画された映像を再生するかに係らず、映像を表示するために多くの電力を消費する問題点があった。この問題点は、テレビ受信装置が電池に蓄えられた電力で動作する携帯型の装置である場合に顕著である。
【０００５】
本発明は上記問題点を解決するためになされたもので、テレビ放送された映像と音声を小容量の記憶装置に記憶しつつその音声のみを発生させ、所定の場合に記憶された映像を表示し、かつ、音声を発生させるテレビ放送受信装置を提供することを目的とする。
【課題を解決するための手段】
【０００６】
上記目的を達成するために、本発明のテレビ放送受信装置は、テレビ放送信号を受信して、その受信されたテレビ放送信号から映像信号及び音声信号を生成するテレビ受信手段と、前記テレビ受信手段によって生成された映像信号を表示する表示手段と、前記テレビ受信手段によって生成された音声信号による音声を発生するスピーカと、前記映像信号及び音声信号をサイクリックに記憶する映像音声信号記憶手段と、前記テレビ受信手段によって生成された映像信号及び音声信号を前記映像音声信号記憶手段に書き込む映像音声信号書き込み手段と、前記映像音声信号記憶手段に記憶された映像信号及び音声信号を読み出す映像音声信号読み出し手段と、装置の状態遷移の指示を入力する入力手段と、前記テレビ受信手段によって生成された音声信号による音声を前記スピーカから発生させ、前記テレビ受信手段によって生成された映像信号を前記表示手段に表示させず、かつ、前記映像音声信号書き込み手段を制御して前記テレビ受信手段によって生成された映像信号及び音声信号を前記映像音声信号記憶手段に書き込ませる第１の状態にある際に前記入力手段によって第１の指示が入力された場合、前記映像音声信号読み出し手段を制御して前記映像音声信号記憶手段に記憶された映像信号及び音声信号を読み出させ、前記映像音声信号読み出し手段によって読み出された映像信号を前記表示手段に表示させ、かつ、前記映像音声信号読み出し手段によって読み出された音声信号を前記スピーカから発生させる第２の状態に遷移する制御を行うテレビ処理制御手段とを有することを特徴とする。
【発明の効果】
【０００７】
本発明によれば、テレビ放送された映像と音声を小容量の記憶装置に記憶しつつその音声のみを発生させ、所定の場合に記憶された映像を表示し、かつ、音声を発生させるテレビ放送受信装置を提供することができる。
【発明を実施するための最良の形態】
【０００８】
以下に、本発明によるテレビ放送受信装置の実施の形態を、図面を参照して説明する。図１は、本発明の実施形態に係るテレビ放送受信装置が適用された開閉自在の折畳み型移動通信端末装置の、上下筐体の折畳みを開いた時の外観を示し、図１（ａ）は正面図を、図１（ｂ）は側面図を示す。
【０００９】
この第１の移動通信端末装置は、上筐体１と下筐体２とが、ヒンジ部３によって回動自在に連結されてなることによって、上下筐体１、２の角度がほぼ０度（閉状態）からほぼ１８０度（開状態）の間で開閉自在に構成されている。上筐体１の内面には、受話に用いられるスピーカ１４ａと、テレビ放送された映像の表示や、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。
【００１０】
また、下筐体２の内面には、送話に用いられるマイクロフォン１４ｂが設置されている。下筐体２の内面と側面には、キーパッドからなる入力装置１６が設けられている。また、下筐体２の側面には、テレビ放送された音声の発生に用いられるイヤホン型のスピーカ（図示せず）と接続されるリード線を繰り出すための穴部（図示せず）とが設けられている。更に、下筐体２の外面には、テレビ放送された音声の発生や、着信音の発生に用いられるスピーカ（図示せず）と、通話用電波の送受に用いられるアンテナ１２ａとが設置されている。
【００１１】
入力装置１６は、英数字や文字、記号の入力などに用いられる数字キーと、移動通信端末装置の電源の投入及び切断や、テレビ受信動作などの動作指示の入力に用いられる複数の機能キーとを含んでいる。
【００１２】
また、上下筐体１、２が開状態にあるか、または、閉状態にあるかを検出する開閉検出部（図示せず）が設置されて、その開閉検出部から開閉信号が出力されている。ここで、開閉検出部は、上筐体１の内側の所定の位置に凸部を、そして、下筐体２の内側で、上下筐体１、２が閉状態にある場合に上記凸部によって押下される位置にスイッチを設けたものであり、そのスイッチが押下されているか否かによって開閉を検出するが、これに限るものではない。例えば、上筐体１の内部と下筐体２の内部であって、上下筐体１、２が閉状態にある場合に近い距離に位置する場所にそれぞれ磁石を設け、それらの磁石に働く磁力の有無を検出するものであり、磁力の有無によって開閉を検出しても良い。
【００１３】
図２は、この移動通信端末装置の構成を示すブロック図である。この移動通信端末装置は、開閉信号３ａが入力され、装置全体の制御を行う制御部１１と、基地局（図示せず）との間で電波の送受信を行うアンテナ１２ａと、通信部１２ｂと、送受信部１３と、受話用のスピーカ１４ａと、マイクロフォン１４ｂと、通話部１４ｃと、表示部１５と、入力装置１６と、テレビ処理部２１と、テレビ放送された音声の発生に用いられるイヤホン型のスピーカ２１ｂと、テレビ放送された音声の発生などに用いられる下筐体２の外面に設けられたスピーカ２１ｃとからなる。
【００１４】
図３は、テレビ処理部２１の詳細な構成を示すブロック図である。このテレビ処理部２１は、テレビ処理部２１内の各部の制御を行うテレビ処理制御部２２と、テレビ受信部２３と、テレビ放送電波の受信に用いられるアンテナ２３ａと、符号化部２４と、映像音声信号記憶部２５と、復号化部２６とからなる。映像音声信号記憶部２５には、符号化された映像信号と音声信号である映像音声信号２５ａが記憶される。なお、アンテナ２３ａは、イヤホン型スピーカ２１ｂのリード線が兼ねるとしても良い。また、テレビ処理部２１は、アンテナ２３ａを有さず、テレビ受信部２３は、信号線を経由したテレビ放送信号を受信するとしても良い。
【００１５】
上記のように構成された、本発明の実施形態に係る移動通信端末装置の各部の動作を、図２を参照して説明する。まず、通信部１２ｂは、アンテナ１２ａが受信した高周波信号を送受信部１３へ出力し、また、送受信部１３から出力される高周波信号をアンテナ１２ａより送信する。
【００１６】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１７】
通話部１４ｃは、送受信部１３から出力されるディジタル音声信号をアナログ音声信号に変換し、それを増幅して受話用スピーカ１４ａに送る。また、マイクロフォン１４ｂから出力されるアナログ音声信号を増幅し、それをディジタル音声信号に変換して送受信部１３に送信する。
【００１８】
表示部１５は、上下筐体１、２が開状態にある場合に、制御部１１に制御されることで、文字・数字やテレビ処理部２１によって受信された映像を含む画像データの表示動作を行い、表示されているデータは、入力装置１６からの入力操作や着信信号に応答して制御部１１からの指示を受けることで切換わる。なお、上下筐体１、２が閉状態にある場合、制御部１１は、表示部１５の表示動作の制御を行わないため、表示部１５には何も表示されない。
【００１９】
入力装置１６は、通信相手の電話番号を指定するための数字キーと複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、または、動作が行われる。
【００２０】
テレビ処理部２１は、制御部１１によって起動され、以下の３通りの中のいずれかの動作を行う。第１に、テレビ放送された電波を受信して得られた音声信号をスピーカ２１ｂ及び／またはスピーカ２１ｃから発生させ、かつ、得られた映像信号及び音声信号をテレビ処理部２１内に記憶する。第２に、テレビ処理部２１内に記憶された映像信号及び音声信号を読み出して、その映像信号を表示部１５に表示し、かつ、その音声信号をスピーカ２１ｂ及び／またはスピーカ２１ｃから発生させる。第３に、テレビ放送された電波を受信して得られた映像信号を表示部１５に表示し、かつ、得られた音声信号をスピーカ２１ｂ及び／またはスピーカ２１ｃから発生させる。
【００２１】
次に、テレビ処理部２１の各部の動作を、図３を参照して説明する。まず、テレビ受信部２３は、テレビ処理制御部２２によって起動され、アンテナ２３ａによって受信された高周波信号からテレビ処理制御部２２によって指示されたチャンネル番号のチャンネルの信号を選択する。そして、選択された高周波信号を中間周波数の信号に変換し、変換された信号を復調することによって映像信号及び音声信号を生成する。
【００２２】
符号化部２４は、テレビ処理制御部２２によって起動され、テレビ受信部２３によって生成された映像信号及び音声信号を受信する。そして、受信された映像信号及び音声信号を符号化して、符号化された映像信号及び音声信号、即ち、映像音声信号２５ａを映像音声信号記憶部２５に記憶させる。
【００２３】
符号化は、例えば、ＭＰＥＧ（Moving Picture Experts Group）方式によるが、これに限るものではない。例えば、映像信号はモーションＪＰＥＧ（Joint Photographic Experts Group）方式によっても良い。モーションＪＰＥＧ方式によれば、ＭＰＥＧ方式に比較して、フレーム間符号化が行われないため圧縮率は劣るものの、後に述べる任意の時点からの再生が可能である。更には、符号化は行われないとしても良い。
【００２４】
映像音声信号記憶部２５は、サイクリックな記憶装置である。即ち、その記憶装置に情報が順次記憶され、全ての領域に情報が記憶された場合、最も古く記憶された情報が記憶されていた領域に新たに情報を循環型に記憶し、同時に、その記憶装置に記憶された情報を読み出すことが可能な装置である。なお、これは、必ずしも映像音声信号記憶部２５が特殊なハードウェアによって構成されていることを意味しない。記憶装置のいずれの位置に情報が記憶されているか否か、及び、その情報が記憶された時刻とを記憶することによって、例えば、主記憶装置の一部を用いて実現可能なことは言うまでもない。
【００２５】
映像音声信号記憶部２５に記憶される映像音声信号２５ａは、上記説明したように、符号化部２４によって符号化された映像信号及び音声信号であるが、映像音声信号記憶部２５は、ハイライトシーンを記憶するための記憶部であって、その記憶容量は小さい。例えば、１０秒間に渡る映像音声信号２５ａを記憶する容量を持つが、これに限るものではない。例えば、３０秒間に渡る映像音声信号２５ａを記憶する容量を持っても良く、また、１分間に渡る映像音声信号２５ａを記憶する容量を持っても良い。
【００２６】
復号化部２６は、テレビ処理制御部２２によって起動され、映像音声信号記憶部２５に記憶された映像音声信号２５ａを読み出して、読み出された信号を復号化することによって、映像信号及び音声信号を生成する。映像音声信号２５ａを読み出すに際し、映像音声信号２５ａの中の最も古い部分から、最も新しい部分までを順に読み出す。ここで、映像音声信号２５ａがＭＰＥＧ方式によって符号化されている場合、最も古いフレーム内符号化された信号から読み出す。
【００２７】
最も新しい部分までの１０秒分の映像音声信号２５ａを読み出して復号化した場合、即ち、全ての映像音声信号２５ａの処理が終了した場合、復号化部２６は、その旨をテレビ処理制御部２２に通知して、動作を終了する。
【００２８】
次に、テレビ処理制御部２２の、テレビ処理部２１の各部を制御する制御動作を説明する。図４は、テレビ処理制御部２２の制御動作のフローチャートを示す。テレビ処理制御部２２は、入力装置１６の所定のキーが操作された場合、制御部１１によって起動されて動作を開始する（ステップＳ２２ａ）。この際、開閉信号３ａが入力された制御部１１によって、上下筐体１、２が開状態にあるか、閉状態にあるかが引数として通知される。また、テレビ処理制御部２２は、動作中に上下筐体１、２の状態が開から閉へ、または、閉から開へ変更された場合、開閉信号３ａが入力された制御部１１によって、その変更が通知される。
【００２９】
次に、テレビ処理制御部２２は、映像音声信号記憶部２５に記憶された映像音声信号２５ａを消去して（ステップＳ２２ｂ）、引数は、上下筐体１、２が開状態にあるとの通知であったか、閉状態にあるとの通知であったかを調べる（ステップＳ２２ｃ）。そして、閉状態にあるとの通知であった場合、テレビ処理部２１の各部を制御して、テレビ処理部２１を第１の状態に置く（ステップＳ２２ｄ）。
【００３０】
ここで、第１の状態は、実時間のテレビ放送の音声のみを発生させ、実時間のテレビ放送を記憶する状態である。即ち、テレビ処理制御部２２は、テレビ受信部２３を制御して動作させ、テレビ受信部２３によって生成された音声信号による音声をスピーカ２１ｂ及び／またはスピーカ２１ｃから発生させる。また、符号化部２４を制御して動作させ、テレビ受信部２３によって生成された映像信号及び音声信号を符号化させ、得られた符号化された映像信号及び音声信号である映像音声信号２５ａを映像音声信号記憶部２５に記憶させる。更に、復号化部２６を動作させない。
【００３１】
そして、テレビ処理制御部２２は、制御部１１から送信される通知を待ち、上下筐体１、２が開状態にあるとの通知が受信された場合（ステップＳ２２ｅ）、テレビ処理部２１の各部を制御して、テレビ処理部２１を第２の状態に置く（ステップＳ２２ｆ）。ここで、第２の状態は、記憶された映像信号及び音声信号を読み出して、読み出された映像信号及び音声信号を出力する状態である。即ち、テレビ処理制御部２２は、テレビ受信部２３及び符号化部２４を制御して動作をさせない。また、復号化部２６を制御して動作させ、映像音声信号記憶部２５に記憶された映像音声信号２５ａを読み出して復号させ、復号された映像信号を表示部１５に表示させ、復号された音声信号による音声をスピーカ２１ｂ及び／またはスピーカ２１ｃから発生させる。
【００３２】
そして、テレビ処理制御部２２は、制御部１１または復号化部２６から送信される通知を待ち（ステップＳ２２ｇ）、制御部１１から送信された上下筐体１、２が閉状態にあるとの通知が受信された場合、映像音声信号記憶部２５に記憶された映像音声信号２５ａを消去して（ステップＳ２２ｈ）、ステップＳ２２ｄのテレビ処理部２１の各部を制御して、テレビ処理部２１を第１の状態に置く動作に移る。
【００３３】
一方、ステップＳ２２ｇで、復号化部２６から送信された全ての映像音声信号２５ａの処理が終了した旨の通知が受信された、または、制御部１１から送信された所定のキーが操作されたとの通知が受信された場合、テレビ処理制御部２２は、映像音声信号記憶部２５に記憶された映像音声信号２５ａを消去して（ステップＳ２２ｉ）、テレビ処理部２１の各部を制御して、テレビ処理部２１を第３の状態に置く（ステップＳ２２ｊ）。
【００３４】
ここで、第３の状態は、実時間のテレビ放送を受信して、受信された映像信号及び音声信号を出力する状態である。即ち、テレビ処理制御部２２は、テレビ受信部２３を制御して動作させ、テレビ受信部２３によって生成された映像信号を表示部１５に表示させ、テレビ受信部２３によって生成された音声信号による音声をスピーカ２１ｂ及び／またはスピーカ２１ｃから発生させる。そして、符号化部２４及び復号化部２６を制御して、動作させない。
【００３５】
そして、テレビ処理制御部２２は、制御部１１から送信される通知を待ち（ステップＳ２２ｋ）、制御部１１から送信された上下筐体１、２が閉状態にあるとの通知が受信された場合、ステップＳ２２ｄのテレビ処理部２１の各部を制御して、テレビ処理部２１を第１の状態に置く動作に移る。
【００３６】
ステップＳ２２ｃで、引数は、上下筐体１、２が閉状態にあるとの通知であった場合、テレビ処理制御部２２は、ステップＳ２２ｊのテレビ処理部２１の各部を制御して、テレビ処理部２１を第３の状態に置く動作に移る。
【００３７】
テレビ処理制御部２２は、任意の動作ステップで制御部１１から送信されたチャンネル番号を示す信号を受信して、その信号が受信された場合、テレビ受信部２３を制御して、受信されたチャンネル番号のチャンネルを受信させる。そして、映像音声信号記憶部２５に記憶された映像音声信号２５ａを消去して、テレビ処理部２１をチャンネル番号を示す信号が受信される前の状態に引き続き置くが、これに限るものではない。映像音声信号記憶部２５に記憶された映像音声信号２５ａを消去しなくとも良い（図４のフローチャートには図示せず）。
【００３８】
即ち、テレビ処理制御部２２は、その信号が受信される前に第１の状態にあればステップＳ２２ｄ以降の動作を続け、第２の状態にあればステップＳ２２ｆ以降の動作を続け、そして、第３の状態にあればステップＳ２２ｊ以降の動作を続ける。なお、ステップＳ２２ｆ以降の動作を続ける場合、映像音声信号記憶部２５には映像音声信号２５ａが記憶されていないので、直ちにステップＳ２２ｉの動作に移る。
【００３９】
テレビ処理制御部２２は、任意の動作ステップで制御部１１から送信されたテレビ処理部２１の動作終了の通知を受信して、その動作終了の通知が受信された場合、テレビ受信部２３、符号化部２４及び復号化部２６を制御して動作を中止させ、更に、自らの制御動作を終了する（図４のフローチャートには図示せず）。
【００４０】
なお、テレビ処理制御部２２は、任意の動作ステップで制御部１１から送信された通知に従って、音声を発生させるスピーカをスピーカ２１ｂ、スピーカ２１ｃ、スピーカ２１ｂ及びスピーカ２１ｃの３通りのいずれかに切替える。制御部１１は、入力装置１６の所定のキーが操作されることによって上記通知を送信しても良い。
【００４１】
また、移動通信端末装置は、イヤホン型のスピーカ２１ｂと接続されるリード線が繰り出されているか否かを検出する繰り出し検出部（図示せず）を有し、制御部１１は、繰り出し検出部から制御部１１に送信される繰り出し信号がそのリード線が繰り出されていることを示していればスピーカ２１ｂから音声を発生させ、繰り出されていないことを示していればスピーカ２１ｃから音声を発生させるとしても良い。
【００４２】
なお、制御部１１は、テレビ処理制御部２２を起動する際、テレビ処理制御部２２は初期状態として、上下筐体１、２が開状態にあるか、閉状態にあるかに係らず、テレビ処理部２１を第１の状態に置くか、または、第３の状態に置くかを引数によって指示しても良い。テレビ処理制御部２２は、ステップＳ２２ｃでこの引数を調べて、ステップＳ２２ｄ以降の動作をし、または、ステップＳ２２ｊ以降の動作をする。または、テレビ処理制御部２２は暗黙値を記憶し、その暗黙値に従ってステップＳ２２ｄ以降の動作をするか、または、ステップＳ２２ｊ以降の動作をするかを決定しても良い。
【００４３】
制御部１１は、上記引数を入力装置１６の所定のキーが操作されることによって決定する。移動通信端末装置が開閉自在の折畳み型でないバータイプである場合、上記説明した制御部１１の引数によって、または、暗黙値によって、テレビ処理制御部２２は、初期状態として、テレビ処理部２１を第１の状態に置くか、または、第３の状態に置くかを判断する。
【００４４】
また、制御部１１は、テレビ処理制御部２２が動作中、上下筐体１、２が閉状態に変更されたとの通知と上下筐体１、２が開状態に変更されたとの通知に代えて、それぞれ入力装置１６の所定のキーが操作されたとの通知をテレビ処理制御部２２に送信しても良い。この通知に応じて、テレビ処理制御部２２は上記説明した、それぞれ上下筐体１、２が閉状態に変更されたとの通知が受信された際の制御動作と、上下筐体１、２が開状態に変更されたとの通知が受信された際の制御動作とを行う。移動通信端末装置が開閉自在の折畳み型でない場合、上記説明した所定のキーが操作されたとの通知に応じて、テレビ処理制御部２２は、制御動作を行う。
【００４５】
以上説明した動作により制御される移動通信端末装置によるテレビ放送受信の動作の一例を、図５に示すテレビ処理部２１内のテレビ放送された信号のフローを参照して説明する。図５で、２重線矢印は信号のフローを示し、実線矢印はイベントの発生通知による状態遷移の一例を示す。
【００４６】
上下筐体１、２が閉状態である時にテレビ放送受信が開始され、テレビ受信部２３によって生成された信号は、符号化部２４に送られると共に、音声信号はスピーカ２１ｂ及び／またはスピーカ２１ｃに送られる。これが、第１の状態Ｘ１である（図４に示すフローチャートのステップＳ２２ｄに対応する。）。符号化部２４は、受信された信号を符号化して、得られた映像音声信号２５ａを映像音声信号記憶部２５に記憶させる。
【００４７】
第１の状態Ｘ１で、イベントＹ１、即ち、上下筐体１、２が開状態になったとの通知が発生した場合（図４に示すフローチャートのステップＳ２２ｅの「開」に対応する。）、映像音声信号記憶部２５に記憶された映像音声信号２５ａは、復号化部２６に送られる。そして、復号化部２６は、受信された信号を復号化して、復号化された映像信号は表示部１５に送られ、復号化された音声信号はスピーカ２１ｂ及び／またはスピーカ２１ｃに送られる。これが、第２の状態Ｘ２である（図４に示すフローチャートのステップＳ２２ｆに対応する。）。
【００４８】
第２の状態Ｘ２で、イベントＹ２、即ち、１０秒経過したとの通知が発生した場合（図４に示すフローチャートのステップＳ２２ｇの「記憶された全映像音声信号を出力または所定のキー操作」に対応する。）、テレビ受信部２３によって生成された映像信号は表示部１５に送られ、音声信号はスピーカ２１ｂ及び／またはスピーカ２１ｃに送られる。これが、第３の状態Ｘ３である（図４に示すフローチャートのステップＳ２２ｊに対応する。）。
【００４９】
第３の状態Ｘ３で、イベントＹ３、即ち、上下筐体１、２が閉状態になったとの通知が発生した場合（図４に示すフローチャートのステップＳ２２ｋの「閉」に対応する。）、移動通信端末装置内のテレビ放送された信号のフローは、上記第１の状態Ｘ１に遷移する。
【００５０】
上記説明した動作により、移動通信端末装置の使用者は、例えば、通勤の列車内で移動通信端末装置の上下筐体１、２を閉状態にすることによって第１の状態Ｘ１でテレビ処理部２１を動作させ、即ち、テレビ放送の音声のみを聴取し、映像を表示させないことによって、削減された消費電力でテレビ放送の内容を知る。そして、使用者は、テレビ放送の音声によってハイライトシーンが放送されたことを知ってから１０秒以内に移動通信端末装置の上下筐体１、２を開状態にすることによって、テレビ処理部２１を第２の状態Ｘ２に遷移させ、１０秒遡った、即ち、再生されたテレビ放送の映像及び音声を視聴する。
【００５１】
１０秒間の再生によって、使用者は、充分にハイライトシーンを視聴することができる。１０秒間の再生の後、テレビ処理部２１は、第３の状態に遷移し、使用者は、実時間のテレビ放送の映像及び音声を視聴する。ハイライトシーンの視聴中に、または、ハイライトシーンの終了後に、使用者は、上下筐体１、２を閉状態にすることによってテレビ処理部２１を第１の状態Ｘ１に遷移させ、テレビ放送の音声のみを聴取し、映像を表示させない。
【００５２】
なお、テレビ処理制御部２２は、ステップＳ２２ｄの第１の状態においてに限らず、ステップＳ２２ｆの第２の状態及びステップＳ２２ｊの第３の状態において、テレビ受信部２３を制御して動作させ、符号化部２４を制御して動作させることによって、テレビ受信部２３によって生成された映像信号及び音声信号を符号化させ、得られた映像音声信号２５ａを映像音声信号記憶部２５に記憶させても良い。この処理によって、テレビ処理制御部２２は、状態の遷移に伴ってテレビ受信部２３及び符号化部２４を制御する必要がなく、制御処理が簡易になる。
【００５３】
また、この処理による場合、テレビ処理制御部２２は、ステップＳ２２ｇで、全ての映像音声信号２５ａの処理が終了したとの通知を受信することがないため、所定のキー操作が行われた場合を除き、ステップＳ２２ｆのテレビ処理部２１を第２の状態に置き続ける、即ち、復号化部２６を制御して、映像音声信号記憶部２５に記憶された映像音声信号２５ａを読み出して復号させ、復号された映像信号を表示部１５に表示させ、復号された音声信号による音声をスピーカ２１ｂ及び／またはスピーカ２１ｃから発生させる状態を続けることができ、言い換えると、使用者は、１０秒遅れでテレビ放送を視聴し続けることができる。
【００５４】
更に、テレビ処理制御部２２は、ステップＳ２２ｋで所定のキー操作が行われた場合、テレビ処理部２１をステップＳ２２ｆの第２の状態に遷移させても良い。また、ステップＳ２２ｅで所定のキー操作が行われた場合、ステップＳ２２ｊの第３の状態に遷移させても良い。このようにすることにより、使用者は、実時間でテレビ放送を視聴する、実時間でテレビ放送の音声を聴取する、または、１０秒遅れでテレビ放送を視聴する、の３通りの処理を任意に選択することができる。
【００５５】
また、テレビ処理制御部２２は、ステップＳ２２ｄの第１の状態においてに限らず、ステップＳ２２ｆの第２の状態において、テレビ受信部２３を制御して動作させ、符号化部２４を制御して動作させることによって、テレビ受信部２３によって生成された映像信号及び音声信号を符号化させ、得られた映像音声信号２５ａを映像音声信号記憶部２５に記憶させても良い。これよって、テレビ処理制御部２２は、ステップＳ２２ｊの実時間のテレビ放送を視聴する状態を除いて、常に、映像音声信号２５ａを映像音声信号記憶部２５に記憶させることができる。
【００５６】
この処理によって、テレビ処理制御部２２は、ステップＳ２２ｇで、全ての映像音声信号２５ａの処理が終了したとの通知を受信することがないため、所定のキー操作が行われた場合を除き、ステップＳ２２ｆのテレビ処理部２１を第２の状態に置くことができ、即ち、使用者は、上記１０秒遅れでテレビ放送を視聴し続けることができる。
【００５７】
また、テレビ処理制御部２２は、ステップＳ２２ｄの第１の状態においてに限らず、ステップＳ２２ｊの第３の状態において、テレビ受信部２３を制御して動作させ、符号化部２４を制御して動作させることによって、テレビ受信部２３によって生成された映像信号及び音声信号を符号化させ、得られた映像音声信号２５ａを映像音声信号記憶部２５に記憶させても良い。この処理によって、テレビ処理制御部２２は、ステップＳ２２ｆの記憶されたテレビ放送を読み出して視聴する状態を除いて、常に、映像音声信号２５ａを映像音声信号記憶部２５に記憶させることができる。
【００５８】
この処理による際、更に、テレビ処理制御部２２は、ステップＳ２２ｋで所定のキー操作が行われた場合、ステップＳ２２ｆの第２の状態に遷移させても良い。このようにすることにより、使用者は、実時間でテレビ放送を視聴している際に、例えば、ハイライトシーンを繰り返し視聴することができる。
【００５９】
以上、テレビ処理制御部２２は、３つの状態の中でいずれの状態においてテレビ受信部２３及び符号化部２４を制御して動作させて、テレビ受信部２３によって生成された映像信号及び音声信号を符号化させ、得られた映像音声信号２５ａを映像音声信号記憶部２５に記憶させるかによって、４通りの動作の説明を行ったが、入力装置１６の所定のキー操作によって、４通りの動作のいずれかが選択されるとしても良い。
【００６０】
なお、４通りの動作のいずれの動作の場合においても、テレビ処理制御部２２は、ステップＳ２２ｈ及びステップＳ２２ｉの映像音声信号記憶部２５に記憶された映像音声信号２５ａを消去する動作を行うことによって、映像音声信号記憶部２５に記憶された映像音声信号２５ａの一部であれ、複数回再生させることがない。そのため、使用者は、同じ表示が表示部１５に行われた場合、同じ内容のテレビ放送が行われたのか、複数回再生が行われたかが分からないことによる混乱を受けることがない。
【００６１】
ここで、上記テレビ処理制御部２２による消去動作は、テレビ処理制御部２２がステップＳ２２ｈ及びステップＳ２２ｉで行うとしてが、これに限るものではない。例えば、テレビ処理制御部２２がステップ２２ｆの第２の状態に移る制御動作の直前の制御動作として行われるとしても良い。
【００６２】
一方、テレビ処理制御部２２は、上記消去動作を行わないとしても良い。この消去動作を行わないことにより、上記４通りのいずれの場合であれ、テレビ処理制御部２２は、ステップＳ２２ｆでテレビ処理部２１を第２の状態に置いた際、常に１０秒間に渡り過去にテレビ放送された映像音声信号２５ａを、復号化部２６を制御して読み出させて復号させ、そして、１０秒間の映像の表示及び音声の発生を行わせることができる。この１０秒間の映像音声信号２５ａは、状態の遷移が頻繁に行われた場合、必ずしも時間的に連続したテレビ放送の信号であるとは限らない。そのため、映像音声信号２５ａの一部が複数回読み出され、出力されることがある。
【００６３】
以上の説明は、本発明のテレビ放送受信装置を開閉自在の折畳み型移動通信端末装置に適用した形態を例にとって行ったが、本発明のテレビ放送受信装置は、折畳み型でないバータイプの移動通信端末装置や、ＰＤＡ（Personal Digital Assistant）や、パソコンであって、あらゆるテレビ放送を受信する機能を有する装置や、更には、携帯型テレビ放送受信装置や、固定型テレビ放送受信装置などに適用することが可能である。固定型テレビ放送受信装置に適用した場合、制御部１１は、リモコンから送信される信号に基づいて、テレビ処理制御部２２を制御する。
【００６４】
また、説明に用いた開閉自在の折畳み型移動通信端末装置は、上下筐体１、２の角度がほぼ０度（閉状態）からほぼ１８０度（開状態）の間で開閉自在に構成されているとしたが、これに限るものではない。例えば、ほぼ０度（閉状態）からほぼ３６０度（開状態）の間で開閉自在に構成されていても良い。また、上記の角度が所定の角度以上であり、表示部１５の表示画面が使用者によって視認可能の場合、上下筐体１、２が開状態であるとしても良い。本発明は以上の構成に限定されるものではなく、種々の変形が可能である。
【図面の簡単な説明】
【００６５】
【図１】本発明の実施形態に係る折畳み型移動通信端末装置の外観図。
【図２】本発明の実施形態に係る折畳み型移動通信端末装置の構成を示すブロック図。
【図３】本発明の実施形態に係るテレビ処理部の構成を示すブロック図。
【図４】本発明の実施形態に係るテレビ処理制御部の制御動作を示すフローチャート。
【図５】本発明の実施形態に係るテレビ処理部の信号のフローを示す図。
【符号の説明】
【００６６】
１  上筐体
２  下筐体
３  ヒンジ部
３ａ  開閉信号
１１  制御部
１５  表示部
１６  入力装置
２１  テレビ処理部
２１ｂ、２１ｃ  スピーカ
２２  テレビ処理制御部
２３  テレビ受信部
２３ａ  アンテナ
２４  符号化部
２５  映像音声信号記憶部
２５ａ  映像音声信号
２６  復号化部
【図１】
2007028464.tif 000003
【図２】
2007028464.tif 000004
【図３】
2007028464.tif 000005
【図４】
2007028464.tif 000006
【図５】
2007028464.tif 000007